(57)【要約】  自動車両窓アセンブリ。窓アセンブリは、内側金属縁部を有する枠、及び枠に固定された窓ガラスを含む。窓ガラスは、内側ガラス・プライ、外側ガラス・プライ、内側ガラス・プライと外側ガラス・プライの間の中間層、及び外側ガラス・プライの表面上に位置付けられた導電性被覆を含み、導電性被覆は、枠の内側金属縁部から間隔をおいて配置された外側周縁部を有して、アンテナ・スロットを画定する。窓アセンブリは、導電性被覆の外側周縁部に電気的に接続されたアンテナ給電構造、及び内側ガラス・プライ上に位置付けられ、アンテナ給電構造に近接して導電性被覆の外側周縁部に重なる容量結合ストリップも含み、結合ストリップは、広帯域無線周波数信号をアンテナ・スロットに結合して出し入れするためのものである。
2013540406.tif 000002
【特許請求の範囲】
【請求項１】
内側金属縁部を有する枠と、
前記枠に固定された窓ガラスであって、
内側ガラス・プライ、
外側ガラス・プライ、
前記内側ガラス・プライと前記外側ガラス・プライの間の中間層、及び
前記外側ガラス・プライの表面上に位置付けられた導電性被覆を備え、前記導電性被覆が前記枠の前記内側金属縁部から間隔をおいて配置された外側周縁部を有してアンテナ・スロットを画定する窓ガラスと、
前記導電性被覆の前記外側周縁部に電気的に接続されたアンテナ給電構造と、
前記内側ガラス・プライ上に位置付けられ前記アンテナ給電構造に近接して前記導電性被覆の前記外側周縁部に重なる容量結合ストリップと、を含み、前記結合ストリップが広帯域無線周波数信号を前記アンテナ・スロットに結合して出し入れするためのものである、車両窓アセンブリ。
【請求項２】
前記広帯域無線周波数信号が約４７ＭＨｚから２４０ＭＨｚまでである、請求項１に記載の車両窓アセンブリ。
【請求項３】
前記広帯域無線周波数信号が約４７ＭＨｚから２４０ＭＨｚまで、且つ４７０ＭＨｚから８６０ＭＨｚまでである、請求項１に記載の車両窓アセンブリ。
【請求項４】
前記結合ストリップが第１の部分と第２の部分に分岐され、前記結合ストリップの前記第１の部分と前記結合ストリップの前記第２の部分の間に配置されたインダクタをさらに含む、請求項１に記載の車両窓アセンブリ。
【請求項５】
前記インダクタが、前記アンテナ・スロットのインピーダンスが前記アンテナ給電構造と連通状態の伝送線路のインピーダンスと整合するように寸法付けられる、請求項４に記載の車両窓アセンブリ。
【請求項６】
前記アンテナ給電構造が前記窓ガラスの周辺領域上に位置付けられた暗色塗料帯内に位置付けられる、請求項１に記載の車両窓アセンブリ。
【請求項７】
前記アンテナ・スロットの幅が少なくとも１つの動作周波数での前記アンテナ・スロット中の容量効果が実質的に非常に僅かであるように寸法付けられる、請求項１に記載の車両窓アセンブリ。
【請求項８】
前記アンテナ・スロットの前記幅が１０ｍｍよりも大きい、請求項７に記載の車両窓アセンブリ。
【請求項９】
前記アンテナ・スロットの全長が基本励振モードの環状スロットでは１波長であり、非環状スロットでは２分の１波長である、請求項１に記載の車両窓アセンブリ。
【請求項１０】
前記アンテナ給電構造が前記スロット・アンテナに容量的に結合される、請求項１に記載の車両窓アセンブリ。
【請求項１１】
前記中間層がプラスチックを含む、請求項１に記載の車両窓アセンブリ。
【請求項１２】
前記導電性層が実質的に透明である、請求項１に記載の車両窓アセンブリ。
【請求項１３】
ガラス・プライと、
外側ガラス・プライの表面上に位置付けられた導電性被覆であって、前記導電性被覆が枠の前記内側金属縁部から間隔をおいて配置された外側周縁部を有してアンテナ・スロットを画定する、導電性被覆と、
前記ガラス・プライ上に位置付けられアンテナ給電構造に近接して前記導電性被覆の前記外側周縁部に重なる容量結合ストリップと、を含み、前記結合ストリップが広帯域無線周波数信号を前記アンテナ・スロットに結合して出し入れするためのものである、車両窓アセンブリ。
【請求項１４】
第２のガラス・プライ及び前記ガラス・プライと前記第２のガラス・プライの間に位置付けられた中間層をさらに含む、請求項１３に記載の車両窓アセンブリ。
【請求項１５】
前記ガラス・プライの縁部上に位置付けられた暗色塗料帯をさらに含む、請求項１３に記載の車両窓アセンブリ。
【請求項１６】
前記広帯域無線周波数信号が約４７ＭＨｚから２４０ＭＨｚである、請求項１３に記載の車両窓アセンブリ。
【請求項１７】
前記広帯域無線周波数信号が約４７ＭＨｚから２４０ＭＨｚ、且つ４７０ＭＨｚから８６０ＭＨｚである、請求項１３に記載の車両窓アセンブリ。
【請求項１８】
前記結合ストリップが第１の部分と第２の部分に分岐され、前記結合ストリップの前記第１の部分と前記結合ストリップの前記第２の部分の間に配置されたインダクタをさらに含む、請求項１３に記載の車両窓アセンブリ。
【請求項１９】
前記インダクタが、前記アンテナ・スロットのインピーダンスが前記アンテナ給電構造と連通状態の伝送線路のインピーダンスと整合するように寸法付けられる、請求項１８に記載の車両窓アセンブリ。
【請求項２０】
前記アンテナ・スロットの幅が少なくとも１つの動作周波数での前記アンテナ・スロット中の容量効果が実質的に非常に僅かであるように寸法付けられる、請求項１３に記載の車両窓アセンブリ。
【請求項２１】
前記アンテナ・スロットの幅が１０ｍｍよりも大きい、請求項２０に記載の車両窓アセンブリ。
【請求項２２】
前記アンテナ・スロットの全長が基本励振モードの環状スロット・アンテナでは１波長であり、非環状スロット・アンテナでは２分の１波長である、請求項１３に記載の車両窓アセンブリ。
【請求項２３】
前記導電性層が実質的に透明である、請求項１３に記載の車両窓アセンブリ。
【発明の詳細な説明】
【背景技術】
【０００１】
標準のホイップアンテナ、及び屋根取付け式マスト・アンテナの代用として、後窓、及びウインドシールドの埋込式ワイヤ、若しくは銀プリントのアンテナを含む自動車両窓アンテナが、長年にわたり使用されてきた。最近では、金属被覆された赤外線反射薄膜が、車両用アンテナとして使用されている。他のアンテナ構成は、車両窓の金属枠と窓に接着された導電性透明膜パネルの間にスロット・アンテナを組み込み、窓枠の内縁から間隔をおいて配置された外側周縁部を有してスロット・アンテナを画定するものである。様々なこうした構成では、車両本体の窓枠に重なる導電性被覆の少なくとも１つの縁部を使用して、結合によって、高周波数での接地との短絡を形成し、無線周波の送信、及び受信を向上させる。
【０００２】
車両の電子機器の性能要求が急速に高まるに従って、ますます多くのアンテナが車両に一体化されるようになった。特に、ＦＭ、及びＴＶ周波数では、アンテナ・システムは、多重通路、及びフェージングの影響を克服するため、ダイバーシティ動作に幾つかのアンテナを必要とする。現在のシステムでは、別個のアンテナ、及びアンテナ給電が、こうした要求を満たすために使用される。例えば、ＡＭ、ＦＭ／ＴＶダイバーシティ、気象帯域（ｗｅａｔｈｅｒ  ｂａｎｄ）、Ｒｅｍｏｔｅ  Ｋｅｙｌｅｓｓ  Ｅｎｔｒｙ、及びＤＡＢ  Ｂａｎｄ  ＩＩＩをカバーするために、大部分のアンテナが後窓ガラス内に一体化された状態で、別個の給電点、及び複数のモジュールを有するアンテナが１１も使用されている。電気ネットワークを使用して、別個のアンテナ信号を組み合わせることによって、アンテナから受信器まで走る複数の同軸ケーブルを回避することができる。しかし、こうしたネットワークでは、複雑さが増し、別のモジュールのコストが追加される。従って、ガラス上のアンテナ・システムの複雑さ、及びコストを制限するには、アンテナ給電の数を最小限に抑えることが望ましいであろう。
【０００３】
従って、様々な用途のための広帯域特性を提供する、単一の給電アンテナ、具体的には、赤外線反射ウインドシールド・アンテナが求められている。また、アンテナ整合、及び周波数同調の方法を使用して、車両上のアンテナの数を減少し、アンテナ、及びアンテナに関連する電子機器を単純化するアンテナ・システムも求められている。こうしたアンテナが、窓の熱反射被覆の太陽の利点を保持し、良好な外観を維持しながら、システム性能要件を満たすことが望ましい。
【先行技術文献】
【特許文献】
【０００４】
【特許文献１】米国特許第３，６５５，５４５号
【特許文献２】米国特許第３，９６２，４８８号
【特許文献３】米国特許第４，８９８，７８９号
【発明の概要】
【課題を解決するための手段】
【０００５】
本発明の実施例は車両窓アセンブリを対象とする。窓アセンブリは、内側金属縁部を有する枠、及び枠に固定された窓ガラスを含む。窓ガラスは、内側ガラス・プライ、外側ガラス・プライ、内側ガラス・プライと外側ガラス・プライの間の中間層、及び外側ガラス・プライの表面上に配置された導電性被覆を含み、導電性被覆は、枠の内側金属縁部から間隔をおいて配置された外側周縁部を有して、アンテナ・スロットを画定する。窓アセンブリは、導電性被覆の外側周縁部に電気的に接続されたアンテナ給電構造、及び内側ガラス・プライ上に位置付けられ、アンテナ給電構造に近接して導電性被覆の外側周縁部に重なる容量結合ストリップも含み、結合ストリップは、広帯域無線周波数信号をアンテナ・スロットに結合して出し入れするためのものである。
【０００６】
本発明の実施例は、車両窓アセンブリを対象とする。窓アセンブリは、ガラス・プライ、及び外側ガラス・プライの表面上に配置された導電性被覆を含み、その導電性被覆は枠の内側金属縁部から間隔をおいて配置された外側周縁部を有して、アンテナ・スロットを画定する。窓アセンブリは、ガラス・プライ上に配置されアンテナ給電構造に近接して導電性被覆の外側周縁部に重なる容量結合ストリップも含み、結合ストリップが広帯域無線周波数信号をアンテナ・スロットに結合して出し入れするためのものである。
【０００７】
本発明の上記その他の詳細、目的、及び利点は、本発明の実施例を示す以下の説明、及び図面から、より良く理解され、又は明らかになるであろう。
【０００８】
本発明の様々な実施例を以下の図と併せて、例によって、本明細書に記載する。
【図面の簡単な説明】
【０００９】
【図１】本発明の様々な実施例による透明ガラス・アンテナを示す図である。
【図２】本発明の様々な実施例による図１の線２−２に沿って切り取られた断面図である。
【図３】本発明の様々な実施例による図１の線２−２に沿って切り取られた断面図である。
【図４】本発明の様々な実施例による透明ガラス・アンテナを示す図である。
【図５】アンテナ共振周波数帯域４５ＭＨｚから２４０ＭＨｚまでのアンテナ反射減衰量を示すプロットである。
【図６】アンテナ共振周波数帯域４６ＭＨｚから８６２ＭＨｚまでのアンテナ反射減衰量を示すプロットである。
【発明を実施するための形態】
【００１０】
本発明の実施例は、車両用多帯域スロット・アンテナを対象とする。スロット・アンテナは、窓の金属枠と、スロット・アンテナを画定するために窓枠の内縁から間隔をおいて配置された外側周縁部を有する窓に接着された導電性透明被覆パネルの間に形成される。様々な実施例で、スロットの寸法、及び給電ネットワークは、例えば、ＦＭ、ＴＶ  ＶＨＦ／ＵＨＦ、気象帯域、リモート・キーレス・エントリ・システム（ＲＫＥ）、及びＤＡＢ帯域ＩＩＩを含む広帯域を支持するものである。アンテナは、単一のアンテナ給電だけを使用し、暗色、又は黒の塗料帯の後ろに配置することができ、従って、窓の可視領域が暗くならない。
【００１１】
本発明の実施例は、例えば、自動車両用の多帯域アンテナを提供する。ストリップ状アンテナ給電素子が、被覆パネルの周囲に配置され、高周波数で被覆パネルに容量的に接続される。シールド端子が車両枠に接続され、主端子がアンテナ素子に接続された状態で、同軸伝送線路がアンテナに接続される。被覆は延長され、アンテナ給電素子領域と重なるが、車両枠から離れるように配置されて、スロット・アンテナが地面と短絡しないようになされる。重なる面積の大きさは、アンテナに給電するのに必要とされるキャパシタンスによって決定され、アンテナを例えばＶＨＦ周波数帯域に整合するように調整することができる。
【００１２】
ＵＨＦ帯域では、スロット・アンテナのインピーダンスは主にリアクティブであり、より高次のモードを励振するのに整合回路が望ましいことがある。本発明の実施例では、プリントされたトレース・インダクタ（ｐｒｉｎｔｅｄ  ｔｒａｃｅ  ｉｎｄｕｃｔｏｒ）が窓の内側ガラス・プライの表面上のアンテナ結合素子に一体化される。インダクタのリアクタンスは、アンテナをＴＶ  ＵＨＦ帯域に整合するように調整される。様々な実施例で、インダクタのリアクタンスは、ＶＨＦ帯域で非常に小さく、従って、ＶＨＦ帯域ではアンテナ性能にあまり影響を与えない。
【００１３】
様々な実施例で、スロット・アンテナは容量結合によって給電される。アンテナに給電する非接地伝送線路は、導電性被覆に重なるストリップ金属プリントによって窓上の導電性被覆に容量的に結合される。金属ストリップ，及び重なる面積の大きさを、スロット・アンテナの広帯域の共振を励振して、様々な周波数帯域で様々な電子機器の利用を支持するように選択することができる。
【００１４】
図１は、本発明の様々な実施例による、透明ウインドシールド・アセンブリ１０、及びその関連する本体構造を示している。ウインドシールド２０は金属枠３０によって包囲され、金属枠３０は車両本体窓縁部１１によって画定される窓開口部を有する。本明細書に記載されるように、本発明の実施例を、ウインドシールドではない、他のタイプの窓、又は窓アセンブリである、窓、及び窓アセンブリに使用することができる。例えば、本発明の実施例を任意の窓、又はサンルーフに組み込むことができる。明瞭にするため、全てのこうした窓、及び窓アセンブリが本明細書でウインドシールド２０として示される。ウインドシールド２０の外縁部２１は、枠３０の環状フランジ３８に重ねられて、ウインドシールド２０を、枠３０が一部である車両本体に固定することができるようになされる。図２で見られるように、環状シール部材３５がウインドシールド２０とフランジ３８の間に配置され、モールディング３４が枠３０とウインドシールド２０の間の外側間隙を架橋する。
【００１５】
ウインドシールド２０は、挿入層、又は中間層１８によって接着された外側ガラス・プライ１４と内側ガラス・プライ１２で形成された標準の積層車両ウインドシールドでもよい。中間層１８を、例えば、標準のポリビニルブチラール、又は任意のタイプのプラスチック材料で構築することができる。外側ガラス・プライ１４は、車両の外側の（慣例的に番号１表面と呼ばれる）外面１４０、及び（慣例的に番号２表面と呼ばれる）内面１４２を有する。内側ガラス・プライ１２は、車両の内部の（慣例的に番号３表面と呼ばれる）外面１２２、及びウインドシールド２０に対して内側の（慣例的に番号４表面と呼ばれる）内面１２０を有する。中間層１８は表面１４２と１２２の間に存在する。
【００１６】
図２で示したように、ウインドシールド２０は、ウインドシールド２０の周囲の暗色、又は黒の塗料帯２２を含んで、ウインドシールド２０の縁部の周りのアンテナ素子、及び他の装置（図示せず）を隠すことができる。
【００１７】
ウインドシールド２０は、さらに、透明性の昼光開口部をふさぐ導電性素子、又は導電性被覆１６を含む。被覆１６を、当技術分野で周知の任意の方法で、（図２で示したように）外側ガラス・プライ１４の表面１４２上、又は内側ガラス・プライ１２の表面１２２上に塗布された透明導電性被覆で構築することができる。被覆１６は、単一、又は複数の層内に、例えば、Ｇｉｌｌｅｒｙ他の米国特許第３，６５５，５４５号、Ｇｉｌｌｅｒｙの第３，９６２，４８８号、Ｆｉｎｌｅｙの第４，８９８，７８９号に開示されたものなどの被覆を含む金属を含むことができる。
【００１８】
導電性被覆１６は、車両本体窓縁部１１から間隔をおいて配置された周縁部１７を有し、縁部１１と周縁部１７の間に環状アンテナ・スロット１３が画定される。一実施例では、スロット幅は、信号がショートしないように、動作周波数でスロット中の容量効果が非常に僅かであるように、十分大きい。一実施例では、スロット幅は１０ｍｍよりも大きい。一実施例では、スロット１３の長さは、所望の用途の共振周波数に関して、環状スロットでは波長の整数の倍数、又は非環状スロットでは波長の２分の１の整数の倍数である。通常の車両のウインドシールドでは、スロット長は、ＶＨＳ帯域で共振し、ＴＶ  ＶＨＦ帯域、及びＦＭ用途に使用することができる長さである。
【００１９】
アンテナのインピーダンスが伝送線路のインピーダンスと整合するように選択された小さい金属層を使用して被覆１６に容量的に結合された同軸ケーブルなど、不平衡伝送線路によって、アンテナに給電することができる。図１で示したように、（表面１４２上の）被覆１６と（表面１２０、又は１２２上の）アンテナ給電素子４０をアンテナ給電領域内で重ねて、平行の平板コンデンサを形成することができる。アンテナのインピーダンスを整合させるのに必要なキャパシタンスを、関心のある周波数帯域について、給電素子４０の大きさ、及び素子４０と被覆１６とが重なった面積を変えることによって調整することができる。
【００２０】
図２は、スロット・アンテナ給電素子４０がガラス・プライ１２と１４の間に組み込まれた一実施例を示している。給電素子４０は、内側ガラス・プライ１２の表面１２２に接着され、中間層１８によって被覆１６から分離された、銅テープ、銀セラミック、又は任意の他の金属テープなど、金属層でもよい。給電素子４０に導電的に接続された銅箔３３など金属箔は、中間層１８と内側ガラス・プライ１２の縁部の周囲で折り畳まれ、内側ガラス・プライ１２の表面１２０とシール部材（例えば、接着ビード）３５の間に挟まれる。箔３３は、同軸ケーブル５０の中心導体４４に導電的に接続される。箔３３を、例えば、プラスチック・テープで覆い、箔３３を枠３０と接触しないように隔離し、無線周波数信号が窓フランジ３８、及びシール部材３５を通過するときに、ショートするようにすることができる。ケーブル接地４６は、窓フランジ３８の内側金属縁部１１付近の枠３０に接続される。
【００２１】
図３は、例えば、金属テープ、又は銀セラミックなどのアンテナ給電素子４１が内側ガラス・プライ１２の内面１２０に接着された一実施例を示している。給電素子４１は、中間層１８、及び内側ガラス・プライ１２によって被覆１６から分離される。同軸ケーブル５０の中心導体４４は、例えば、ハンダ付けなど従来の方法で、又は対合するブレード・コネクタによって、絶縁ワイヤ、若しくは箔により、給電素子４１に接続される。
【００２２】
様々な実施例で、容量結合は、好ましくはアンテナ給電構成でもよい。なぜなら、様々な実施例で、アンテナ給電構成は、製造方法が比較的容易であり、アンテナ調整、及びインピーダンス整合を行うことができるからである。アンテナ給電構成では、所望の動作周波数、給電位置、給電素子の形状、及び寸法、並びに車両枠接地までの距離の関数であるインピーダンスをそれ自体のインピーダンスを有するスロット・アンテナ・モードに移動させることができる。例えば５０Ωなど、伝送線路の特性インピーダンスに整合するスロット・アンテナ１３のモードだけを励振することができる。図３で示した直接給電と比較すると、図４で示した容量結合給電は、アンテナ給電素子４１が内側ガラス・プライ１２の内面１２０上に存在するため、キャパシタンスを調整してインピーダンスを整合するためのアクセスをより容易にすることができる。本発明の実施例によるスロット・アンテナ１３のインピーダンスは、実数部、及びリアクティブ成分を有する。様々な実施例で、スロット・アンテナ１３のＶＨＦ帯域が導電性のリアクティブ成分を有することが判明した。実数部だけが放射損失を示す。アンテナ給電素子４１と被覆１６の間のキャパシタンスは、境界面積、素子間の距離、及び材料の比誘電率によって決定されるため、境界面積及び距離を、アンテナを伝送線路に合わせる設計によって選択し、従って、伝送線路で見られる正味のリアクティブ成分を最小限に抑え、それによって、特にＶＨＦ周波数帯域についての無線周波数エネルギ移動を最大にすることができる。アンテナ給電位置を、それぞれ様々な周波数の用途のために幾つかのモードを励振することができるように選択することができる。容量結合では、被覆１６の抵抗が、例えば、除曇、又は氷結防止のために使用される場合、被覆１６からＤＣ絶縁することもできる。
【００２３】
再び図１を参照すると、一実施例では、ウインドシールド２０が搭載された車両本体のＡ柱に沿って２つのアンテナを対称に配置することができる。一実施例では、２つのアンテナ給電は、少なくともλ／４波長離れて配置され、弱結合され、従って両方を、例えば、ＦＭ、及びＴＶダイバーシティ・アンテナ・システムに同時に使用することができる。アンテナにウインドシールド２０の頂部、及び底部で給電することができ、結果として、より空間的になり、パターンの多様性を得ることができる。側部でのアンテナ給電は、水平偏波に対するアンテナ利得がより大きくなり、頂部、及び底部でのアンテナ給電は、垂直偏波に対する利得が大きくなる。
【００２４】
アンテナ基本モードの共振周波数は、スロット長によって主に決定され、スロット長は、モード共振周波数が車両の電子系の動作周波数と同調するように設計することができる。被覆１６の一部、又は複数の部分を除去することによって、被覆１６の縁部分付近に１つ又は複数のスリットを作製して、スロット長を延長することができる。無線周波数電流をスリットの周囲を迂回するように強制し、従って、スロット１３の電気的長さが延長される。その結果、共振モード周波数がより低い周波数帯域に移動される。図１は、例えば、マスク、又はレーザ除去により、標的領域で被覆１６の部分を除去することによって形成された２つのスリット４６を示している。スリット４６の長さ、幅、及び数は、ウインドシールド２０の寸法、及び関心のある周波数帯域によって決定される。一実施例では、スリット４６は、例えば、暗色塗料帯２２内の被覆１６の任意の部分に作製されて、除去が目に見えないようになされる。
【００２５】
図１、及び３で示したものと同様の一実施例が構築され、試験された。長さ１６０ｍｍ、且つ、幅１０ｍｍの給電素子４１がこうした実施例で使用された。一実施例では、キャパシタンス領域は、ＶＨＦ帯域について、約１０から２０平方センチメートルの給電素子４１と被覆１６が重ねられる領域である。図５は、スロット・アンテナ１３の反射減衰量（Ｓ１１）のプロットであり、ＴＶ帯域Ｉ（４７〜６８ＭＨｚ）、Ｊａｐａｎ  ＦＭ帯域（７６ＭＨｚ〜９０ＭＨｚ）、ＵＳＡ／Ｅｕｒｏｐｅ  ＦＭ（８７．９ＭＨｚ〜１０８ＭＨｚ）、気象帯域（１６２．４ＭＨｚ〜１６２．５５ＭＨｚ）、ＴＶ帯域ＩＩＩ（１７４ＭＨｚ〜２３０ＭＨｚ）、及びディジタル・オーディオ・ブロードキャスティング（ＤＡＢ）帯域ＩＩＩ（１７４ＭＨｚ〜２４０ＭＨｚ）をカバーする４５ＭＨｚから２４０ＭＨｚまでの非常に広域のＶＨＦ帯域で、アンテナが良好に放射し、受信することを示している。
【００２６】
本発明の実施例によるスロット・アンテナ１３のインピーダンスは、ＵＨＦ帯域で容量性であるリアクティブ成分を有することが判明した。インダクタ４２を導入して、ＵＨＦ帯域のインピーダンスの容量性リアクタンスを部分的に補償する。これが図４に示されており、給電素子４１はインダクタ４２が中間部分に設けられるように分割される。インダクタンスの値は、所期の動作周波数、ウインドシールド２０の寸法、及び形状、並びにアンテナ給電位置の関数であるアンテナの容量性リアクタンスに整合するように設計される。
【００２７】
図１で示したものと同様であるが、図４で示したインダクタ４２が追加された実施例が構築され、試験された。図６は、スロット・アンテナ１３の反射減衰量（Ｓ１１）のプロットであり、アンテナが、４７ＭＨｚから２４０ＭＨｚまでのＶＨＦ帯域と４７０ＭＨｚから８６０ＭＨｚまでＵＨＦの帯域の両方で良好に放射し、受信することを示している。スロット・アンテナは、複数帯域の用途に適応できることを示しており、それによって、アンテナの数を減少し、アンテナ増幅設計を簡単にし、アンテナ・システムの全体コストを下げることができる。
【００２８】
本発明の実施例は、例として、自動車など車両用透明スロット・アンテナを対象とする。スロット・アンテナは、窓の領域に塗布された外側ガラス・プライの表面上の導電性被覆を含む。導電性被覆の周縁部は、窓の縁部から間隔をおいて配置され、環状スロット・アンテナが画定される。容量結合給電構造を使用して、スロット・アンテナを非常に広帯域の周波数で整合させて、例えば、ＴＶ、ＦＭ、気象帯域、Ｒｅｍｏｔｅ  Ｋｅｙｌｅｓｓ  Ｅｎｔｒｙ（ＲＫＥ）、及びＤＡＢＩＩＩ周波数帯域を含む、４５ＭＨｚから８６０ＭＨｚまでの範囲の周波数をカバーする。
【００２９】
本発明の幾つかの実施例を記載したが、明らかなように、当業者は、本発明の一部、又は全ての利点を得るとともに、こうした実施例への様々な修正、変更、及び適合を思いつくであろう。従って、本発明の範囲、及び精神から逸脱することなく、こうした修正、変更、及び適合は全て包含されるものとする。
【図１】
2013540406.tif 000003
【図２】
2013540406.tif 000004
【図３】
2013540406.tif 000005
【図４】
2013540406.tif 000006
【図５】
2013540406.tif 000007
【図６】
2013540406.tif 000008
【国際調査報告】
2013540406.tif 000009
2013540406.tif 000010
2013540406.tif 000011